(57)【要約】      （修正有）【課題】スクロール圧縮機において、スライダブロックが上方に移動し、旋回スクロールの背面と接触することによる磨耗を防止する。【解決手段】スクロール圧縮機が止め具を偏心ピン上に有しており、その止め具は、スライダブロック内のノッチと選択的に係合し、スライダブロックが上方に移動して旋回スクロールの背面と接触するのを防止する。【選択図】図２Ａ
2008267282.tif 000002
【特許請求の範囲】
【請求項１】
スクロール圧縮機であって、
基部、及び前記基部から延びる概ね渦巻き形のラップを有する第１のスクロール部材と、
基部、及び前記基部から延びる概ね渦巻き形のラップを有する第２のスクロール部材であって、前記第１及び第２のスクロール部材の前記渦巻き形のラップが組み合わさって圧縮室を画定する、第２のスクロール部材と、
駆動シャフト及び前記駆動シャフトを回転させるためのモータであって、前記駆動シャフトが前記駆動シャフトの一方の端部から延びる偏心ピンを有する駆動シャフトおよびモータと、
を備え、
前記第２のスクロール部材が、前記偏心ピンによって旋回され、前記第２のスクロール部材が、前記渦巻き形のラップに対して反対の方向に前記基部から延びるボスを有し、前記ボスが、スライダブロックおよび前記偏心ピンを、前記スライダブロックが前記偏心ピンと前記ボスとの間にある状態で受け入れる開口部を有し、前記ボスが、前記第２のスクロール部材の前記基部の背面を画定する上面を有し、
前記スクロール圧縮機が、
前記偏心ピン上の止め具構造であって、前記スライダブロック上の停止面と選択的に接触し、前記スライダブロックが前記背面に向かって移動するのを防止するためのものである止め具、
をさらに備えるスクロール圧縮機。
【請求項２】
請求項１に記載のスクロール圧縮機であって、前記偏心ピンが、前記スライダブロック内のボア内で合わせ平坦面と係合するように選択的に移動される駆動用の平坦面を有するスクロール圧縮機。
【請求項３】
請求項２に記載のスクロール圧縮機であって、前記偏心ピン上の前記平坦面が、わずかに樽状の形状を有するスクロール圧縮機。
【請求項４】
請求項１に記載のスクロール圧縮機であって、前記止め具が、前記偏心ピンの公称面を越えて延びる単一の止め具を含み、前記スライダブロック内の前記止め具面が、前記スライダブロックの端面内の、前記止め具と選択的に接触するノッチを含むスクロール圧縮機。
【請求項５】
請求項１に記載のスクロール圧縮機であって、前記止め具構造を含めた前記偏心ピン上の最も外側の寸法が、前記スライダブロック内のボアの内のり寸法よりも小さく、その結果、前記スライダブロックを前記偏心ピンの上で移動させることができるスクロール圧縮機。
【請求項６】
請求項１に記載のスクロール圧縮機であって、前記偏心ピンおよび前記スライダブロックが、前記第２のスクロール部材が順方向に旋回されると接触する合わせ駆動面を有し、前記駆動面に沿って測定した前記スライダブロック上の前記止め具構造の長さが、前記駆動面に沿って測定した前記偏心ピン上の前記停止構造の長さよりも長いスクロール圧縮機。
【請求項７】
スクロール圧縮機であって、
基部、及び前記基部から延びる概ね渦巻き形のラップを有する第１のスクロール部材と、
基部、及び前記基部から延びる概ね渦巻き形のラップを有する第２のスクロール部材であって、前記第１及び第２のスクロール部材の前記渦巻き形のラップが組み合わさって圧縮室を画定する第２のスクロール部材と、
駆動シャフト及び前記駆動シャフトを回転させるためのモータであって、前記駆動シャフトが前記駆動シャフトの一方の端部から延びる偏心ピンを有する駆動シャフトおよびモータと、
を備え、
前記第２のスクロール部材が、前記偏心ピンによって旋回され、前記第２のスクロール部材が、前記渦巻き形のラップに対して反対の方向に前記基部から延びるボスを有し、前記ボスが、スライダブロックおよび前記偏心ピンを、前記スライダブロックが前記偏心ピンと前記ボスとの間にある状態で受け入れる開口部を有し、前記ボスが、前記第２のスクロール部材の前記基部の背面を画定する上面を有すること、前記偏心ピンが、前記スライダブロック内のボア内の合わせ平坦面と係合するように選択的に移動される駆動用の合わせ平面を有し、
前記スクロール圧縮機が、
前記偏心ピン上の止め具であって、前記スライダブロック上のノッチと選択的に接触し、前記スライダブロックが前記背面に向かって移動するのを防止するためのものであり、前記偏心ピンの公称面を越えて延びる単一の止め具を含む止め具と、
を含むスクロール圧縮機。
【請求項８】
請求項７に記載のスクロール圧縮機であって、前記偏心ピン上の前記平坦面が、わずかに樽状の形状を有するスクロール圧縮機。
【請求項９】
請求項７に記載のスクロール圧縮機であって、前記止め具構造を含めた前記偏心ピン上の最も外側の寸法が、前記スライダブロック内のボアの内のり寸法よりも小さく、その結果、前記スライダブロックを前記偏心ピンの上で移動させることができるスクロール圧縮機。
【請求項１０】
請求項７に記載のスクロール圧縮機であって、前記偏心ピンおよび前記スライダブロックが、前記第２のスクロール部材が順方向に旋回されると接触する合わせ駆動面を有し、前記駆動面に沿って測定した前記スライダブロック上の前記止め具構造の長さが、前記駆動面に沿って測定した前記偏心ピン上の前記止め具構造の長さよりも長いスクロール圧縮機。
【発明の詳細な説明】
【技術分野】
【０００１】
本発明は、駆動シャフトからの偏心ピンによって駆動されるスライダブロックを有するスクロール圧縮機に関し、そのスクロール圧縮機は、スライダブロックが上方に偏心ピンを越えて移動して旋回スクロールの背面に接触するのを防止するために、止め具構造が偏心ピン上に設けられている。
【背景技術】
【０００２】
スクロール圧縮機は、冷媒圧縮の用途において広く利用されつつある。スクロール圧縮機において、第１のスクロール部材は、基部と、その基部から延びる概ね渦巻き形のラップとを有する。第２のスクロール部材は、基部と、その基部から延びる概ね渦巻き形のラップとを有する。概ね渦巻き形のラップは、組み合わさって圧縮室を画定する。２つのスクロール部材のうちの一方は、他方に対して旋回させられ、また、その一方のスクロールが旋回する際、圧縮室の寸法が減少し、閉じ込められた流体が圧縮される。
【０００３】
ある種のスクロール圧縮機において、スクロール部材を旋回させるための駆動機構は、駆動シャフトを有しており、その駆動シャフトは、回転するように駆動され、またスライダブロック内へと上方に延びる偏心ピンを有している。スライダブロックは、旋回スクロール内にある後方へ延びるボス内に受け入れられる。偏心ピンは、スライダブロックを介して旋回スクロールを駆動する。この種のスクロール圧縮機に伴う１つの懸念事項は、スライダブロックが時折上方に移動し、旋回スクロールの基部の背面と接触することである。この結果として、望ましくない磨耗が生じている。
【０００４】
バンプまたは他の構造をスライダブロックの最上面に設けて、旋回スクロールの基部との接触面積を最小にするような方式でスライダブロックを修正することが提案されてきたが、従来技術では依然として磨耗が存在する。
【０００５】
（発明の開示）
本発明の開示する実施形態においては、止め具構造が偏心ピン上に設けられている。この止め具構造は、スライダブロックが上方に移動し、旋回スクロールと接触するのを防止する。一実施形態において、この止め具構造は、偏心ピンのわずかに拡張された上部部分であり、その上部部分はスライダブロック内のノッチにはまり込む。止め具とスライダブロックの２つは、ほとんどの場合接触していない状態にすることができるが、スライダブロックが垂直方向に上方に移動し始めた場合、スライダブロックは止め具と接触し、止め具はさらなる移動を防止する。一実施形態において、止め具における偏心ピンの外部寸法は、スライダブロック全体にわたってボアの内部寸法よりも小さい。このことによって、スライダブロックをスライダピンに組み付けるのが容易となる。
【０００６】
本発明のこれらの特徴および他の特徴は、以下の明細書および図面から最もよく理解することができ、以下は図面の簡単な説明である。
【発明を実施するための最良の形態】
【０００７】
スクロール圧縮機２０が図１Ａに示されており、このスクロール圧縮機２０は当技術分野で知られるとおりのものである。非旋回スクロール２２は、基部から延びる渦巻き形のラップ２３を有している。旋回スクロール２４は、基部２７から延びる渦巻き形のラップ２５を有している。旋回スクロール２４は、ラップ２５と反対の方向に基部２７から離れて延びるボス２６をさらに有している。
【０００８】
冷媒は、ラップ２３と２５との間に画定される圧縮室内で圧縮され、吐出しポート２８に送られる。冷媒は吸込ポート３０を介して圧縮機ハウジングに入る。
【０００９】
モータ３２は、シャフト３４を回転するように駆動する。シャフト３４は、スライダブロック３８内に受け入れられる偏心ピン３６を有している。スライダブロックは、ボス２６内に、かつボスと偏心ピン３６との間に位置している。シャフト３４が回転させられると、偏心ピンは、スライダブロックを、したがって旋回スクロール２４を移動させて旋回させる。回転防止継手３７によって、旋回スクロールが回転はせずに代わりに旋回することが確実となる。
【００１０】
この従来技術に伴う１つの問題は、図１Ｂおよび１Ｃから理解することができる。スライダブロック３８は通常、ピン３６よりもかなり大きい偏心ピン３６を受け入れるための開口部を有している。偏心ピン３６上の平坦面５４は、スライダブロック３８内のボア内の平坦面５２と係合する。モータが回転の順方向に駆動されるとき、スクロール圧縮機内の力によって、平坦面５４は平坦面５２と接触する。これらの力が除去されると、２つの面は移動して互いに接触しない状態となることができる。
【００１１】
図１Ｃは、図１Ｂの図に対して概ね垂直な図である。図示のように、「平坦」面５４は完全には平坦ではなく、実際にはわずかに樽状の形状を有している。この従来技術では、スライダブロック３８が垂直上方に移動し、基部２７の背面６０と接触するという点で時折問題があった。このことは、望ましいものではない。
【００１２】
本発明を図２Ａおよび２Ｂに示す。図２Ａおよび２Ｂにおいて、駆動シャフト３４には、スライダブロック１３８内に受け入れられる偏心ピン１３６が設けられている。スライダブロック１３８には、垂直方向の最上面にノッチ（切り欠き）１４２が設けられている。偏心ピン３６には、垂直方向の最上面に止め具１４０が設けられている。ここで、スライダブロック１３８が上方に面６０に向かって移動し始めると、止め具１４０はさらなる移動を防止する。留意すべきこととして、止め具１４０における偏心ピンの外形寸法をＢで示してある。この寸法は、スライダブロック１３８内のボアのＡで示す寸法よりも小さい。このようにして、スライダブロックは偏心ピンの上に簡単に落とし込むことができる。しかしながら、スクロール圧縮機が駆動され、平坦面５４が平坦面５２に対して押し付けられると、止め具が上に移動し、ノッチ１４２の上に位置する。図２Ｂから分かるように、ノッチ１４２は、止め具１４０よりも長い長さにわたって延びている。これは、平坦面同士が係合する際のいかなるアライメント（位置合わせ）の問題をも排除するためである。
【００１３】
このようにして、本発明は、スライダブロックが旋回スクロールの基部の背部と接触するのを防止する簡潔かつ効果的な方法を提供する。本発明の好ましい実施形態について開示したが、特定の修正が本発明の範囲に含まれることが、当業者には理解されよう。したがって、先の特許請求の範囲は、本発明の真の範囲および内容を定めるために検討されるべきである。
【図面の簡単な説明】
【００１４】
【図１Ａ】図１Ａは、従来技術のスクロール圧縮機を示す。
【図１Ｂ】図１Ｂは、従来技術のスクロール圧縮機の他の特徴を示す。
【図１Ｃ】図１Ｃは、従来技術のスクロール圧縮機のさらなる他の特徴を示す。
【図２Ａ】図２Ａは、本発明のスクロール圧縮機を示す。
【図２Ｂ】図２Ｂは、本発明の一部分の上面図を示す。
【図１Ａ】
2008267282.tif 000003
【図１Ｂ】
2008267282.tif 000004
【図１Ｃ】
2008267282.tif 000005
【図２Ａ】
2008267282.tif 000006
【図２Ｂ】
2008267282.tif 000007
【外国語明細書】
2008267282.tif 000008
2008267282.tif 000009
2008267282.tif 000010
2008267282.tif 000011
2008267282.tif 000012
2008267282.tif 000013
2008267282.tif 000014
2008267282.tif 000015
2008267282.tif 000016
2008267282.tif 000017
2008267282.tif 000018
2008267282.tif 000019